(57)【要約】【課題】本体装置に拡張装置を接続して本体装置の機能を拡張するシステムにおいて、本体装置と拡張装置間を非接触インターフェース（Ｉ／Ｆ）で接続し、安全で使い易い非接触通信システムを提供する。【解決手段】非接触給電部とＬＤ受光部を備える本体装置と、非接触受電部とＬＤ発光部を備える拡張装置との間を、非接触給電・受電とＬＤ通信により非接触Ｉ／Ｆで接続し、使用者がスロットイン機構を用いて拡張装置をスロットに挿入するだけで拡張装置が使用可能となるよう構成する。このとき、拡張装置において、非接触受電部をＬＤ発光部よりも挿入方向に対して手前に配置することで、拡張装置におけるアイセーフを実現する。さらに、ＬＥＤ通信を用いた挿入認証後にＬＤ発光を許可する等の機能により、アイセーフ機能の強化を図る。【選択図】図１
2010050788.tif 000002
【特許請求の範囲】
【請求項１】
第１の装置と、前記第１の装置が挿抜可能な挿抜孔を有する第２の装置とで構成され、前記第１の装置が前記第２の装置に挿入された場合、前記第２の装置は前記第１の装置に非接触による給電を行い、前記第１の装置と前記第２の装置の間で、データが重畳されたレーザ光を用いて非接触で通信する非接触通信システムであって、
前記第１の装置は、
データが重畳された前記レーザ光を発光して前記第２の装置に送信する発光手段と、
前記第１の装置が有する側面のうち、前記発光手段から発光される前記レーザ光が、前記第１の装置から外部に射出可能な射出孔を有する側面と同一側面に配置され、かつ、前記第１の装置を前記第２の装置に挿入する際の挿入方向に対して前記射出孔が配置される位置よりも後ろに配置され、前記第２の装置から非接触で受電が可能なように構成された受電手段を備え、
前記第２の装置は、
前記第１の装置から送信されるデータが重畳された前記レーザ光を受光する受光手段と、
前記第１の装置に非接触で給電が可能なように構成された給電手段を備える、
ことを特徴とする非接触通信システム。
【請求項２】
前記第１の装置が備える受電手段は、前記第１の装置を前記第２の装置に挿入する際の挿入方向に対し、前記第２の装置が備える給電手段と垂直方向に相対する位置に備えることを特徴とする請求項１記載の非接触通信システム。
【請求項３】
前記第１の装置が前記第２の装置へ挿入が完了した時に、前記第１の装置を前記第２の装置から引き抜くことができないように固定する固定手段と、
前記固定手段において固定が完了した後に前記レーザ光を発光することを許可する発光許可手段を、さらに備えることを特徴とする請求項１または２記載の非接触通信システム。
【請求項４】
前記発光許可手段は前記レーザ光の発光を禁止する機能をさらに備え、前記固定手段は、前記発光許可手段によって前記レーザ光の発光が禁止された後に、前記第１の装置を前記第２の装置から引き抜くことができるように固定を解除する機能を、さらに備えることを特徴とする請求項３記載の非接触通信システム。
【請求項５】
第１の装置と、前記第１の装置が挿抜可能な挿抜孔を有する第２の装置とで構成され、前記第１の装置が前記第２の装置に挿入された場合、前記第２の装置は前記第１の装置に非接触による給電を行い、前記第１の装置と前記第２の装置の間で、データが重畳されたレーザ光を用いて非接触で通信する非接触通信システムであって、
前記第１の装置は、
データが重畳された前記レーザ光を発光して前記第２の装置に送信する発光手段と、
前記第１の装置が有する側面のうち、前記発光手段から発光される前記レーザ光が、前記第１の装置から外部に射出可能な射出孔を有する側面と同一側面に配置され、前記第２の装置から非接触で受電が可能なように構成された受電手段と、
前記発光手段が前記射出孔を有する側面と同一側面に配置され、データが重畳されたＬＥＤ光を発光して前記第２の装置に送信する第１のＬＥＤ（Ｌｉｇｈｔ−Ｅｍｉｔｔｉｎｇ  Ｄｉｏｄｅ）発光手段と、
前記発光手段が前記射出孔を有する側面と同一側面に配置され、前記第２の装置から発光されるデータが重畳されたＬＥＤ光を受光する第１のＬＥＤ受光手段を備え、
前記第２の装置は、
前記第１の装置から送信されるデータが重畳された前記レーザ光を受光する受光手段と、
前記第１の装置に非接触で給電可能に構成された給電手段と、
データが重畳されたＬＥＤ光を発光して前記第１のＬＥＤ受光手段に送信する第２のＬＥＤ発光手段と、
前記第１のＬＥＤ発光手段から送信されたデータが重畳されたＬＥＤ光を受光する第２のＬＥＤ受光手段を備え、
前記第１のＬＥＤ発光手段、前記第１のＬＥＤ受光手段、前記第２のＬＥＤ発光手段および前記第２のＬＥＤ受光手段で構成されるＬＥＤ通信手段により、前記第１の装置が前記第２の装置に挿入されたことを認証し、前記ＬＥＤ通信手段により前記認証が完了した後に、前記発光手段が前記レーザ光を発光するようにしたことを特徴とする非接触通信システム。
【請求項６】
前記受電手段、前記第１のＬＥＤ発光手段および前記第１のＬＥＤ受光手段の内の少なくとも一つの手段は、前記第１の装置を前記第２の装置に挿入する際の挿入方向に対して前記発光手段の前記射出孔が配置される位置よりも後ろに配置されることを特徴とする請求項５記載の非接触通信システム。
【請求項７】
前記ＬＥＤ通信手段による前記認証が失敗した場合は、前記ＬＥＤ通信手段において前記認証が成功するまで前記認証の試行を繰り返し実行し、前記認証の試行回数が予め定めた試行回数に達した場合は、前記認証の試行を終了するとともに、前記認証が失敗した旨の表示を行なうことを特徴とする請求項５または６記載の非接触通信システム。
【請求項８】
前記第１の装置において、前記発光手段は、前記ＬＥＤ通信手段により前記認証が成功した後、接続確認要求に関するデータが重畳された前記レーザ光を前記受光手段に送信し、前記第２の装置において、前記受光手段は前記発光手段から送信された前記レーザ光を受信し、受信した前記レーザ光に前記接続確認要求を確認した場合に、前記ＬＥＤ通信手段を用いて前記接続確認要求に対する接続確認応答を前記第１の装置に送信することにより、
前記第１の装置において、前記接続確認応答の受信が確認できた場合は、前記レーザ光による通信が可能になったことを認識し、前記接続確認応答の受信が確認できなかった場合は、前記レーザ光による通信が不可能な状態にある旨の表示を行うようにしたことを特徴とする請求項５または６記載の非接触通信システム。
【請求項９】
前記第１の装置は、前記第２の装置の前記挿抜孔に挿入する場合の挿入面に対応して複数の拡張機能を有し、前記挿抜孔に挿入された前記挿入面を判別し、判別した前記挿入面に基づいて、前記複数の拡張機能の中から有効とする拡張機能を選択する拡張機能切り替え手段をさらに備えたことを特徴とする請求項１乃至８に記載の非接触通信システム。
【発明の詳細な説明】
【技術分野】
【０００１】
本発明は、非接触通信システムに関し、より特定的には、テレビ受像機に対して高画質動画情報などの伝送機能を持つ拡張装置などに用いられ、使い易いテレビ受像機の拡張装置などの実現に効果を発揮する。
【背景技術】
【０００２】
テレビ受像機は一般的に１０年程度の寿命と言われ、比較的長期に渡ってユーザによって使用され続ける商品である。一方、ネットワーク技術の進化は非常に速く、１年〜２年で新しい技術が生み出されている。このような状況の中で、テレビ受像機に新たなネットワーク技術に伴う機能を直接追加する場合、その度に新たなネットワーク技術に伴う機能を追加することによるテレビ受像機の品質の確保を行なう必要がある。このため、新たなネットワーク技術に伴う機能の追加は、大変な作業を伴うのみならず、新しい機能導入のタイミングが遅れる原因となることも考えられる。このような課題を解決する一つの方法として、テレビ受像機本体は基本的な機能を具備し、付加機能や新たなネットワーク技術に伴う機能などは、テレビ受像機に着脱可能な拡張装置を用いて拡張する、いわゆるパソコンのような構成を取ることが有用であると考えられる。
【０００３】
このようなテレビ受像機に着脱可能な拡張装置は、電力を供給するためのインターフェース（以下、Ｉ／Ｆと称す）、ネットワーク技術を利用するための通信Ｉ／Ｆ、およびネットワーク技術を活用して得られた映像情報をテレビ受像機に伝送するための映像伝送Ｉ／Ｆを保有し、テレビ受像機とは映像伝送ケーブルで接続される構成を持つのが一般的であるが、従来は、使用者にとっての使い易さや使い方などにおいて、以下に示すような課題があった。
【０００４】
まず、テレビ受像機とは独立に電源ケーブル、通信Ｉ／Ｆおよび通信ケーブルを確保し、電源ケーブル、通信ケーブルおよびテレビ受像機と接続するための映像伝送ケーブルを、使用者がそれぞれ個別に接続する必要があるという課題があった。
【０００５】
また、従来の拡張装置は、使用者によるテレビ受像機への頻繁な着脱は想定しておらず、使用者が、様々な拡張機能ごとに提供される複数の拡張装置を、頻繁に拡張装置の着脱を行なうことにより、テレビ受像機と拡張装置の接続部分が磨耗劣化や経年劣化をきたすという課題もあった。
【０００６】
このような課題を解決する一つの方法としては、光通信を用いた非接触通信Ｉ／Ｆを用いる方法があるが、非接触通信Ｉ／Ｆを用いた装置としては、例えば、特許文献１には、ＩＣカードの非接触読取／書込装置と非接触受電手段を有するＩＣカードで構成されるＩＣカードシステムに関する技術が開示されている。
【０００７】
図９は、特許文献１に開示されているＩＣカードシステムの構成を示す斜視図であるが、特許文献１に開示されているＩＣカード非接触読取／書込装置９０１は、図９に示されているように、ＩＣカード９０３を装着する開口部９０２を具備し、ＩＣカード９０３は、非接触で電力を受電する非接触受電部９０４、および、非接触で比較的低速な通信を行なう光通信デバイス９０５、９０６を具備している。
【０００８】
しかし、特許文献１に開示されているＩＣカードシステムは、ＩＣカードで保持する程度の小さな情報を比較的低速な通信で行なうことを前提としており、また、必要とする電力も比較的小さいので、本願が対象としているテレビ受像機に着脱可能な拡張装置などの装置には、必要とする情報量、電力量および通信速度など、いずれをとっても適応できるものではない。
【０００９】
ここで、電力量を増加させるための条件と通信速度を高速にするための手段について説明する。
【００１０】
まず、図１０を用いて、電力量を増加させるための条件を説明する。なお、図１０は、対面するコイルの磁束を共有することで実現する非接触給電・受電機能の構造を示した概念図である。
【００１１】
図１０において、給電用コイル１００１は、電力供給部１００３より流される電流によりその内部に磁束を発生させ、受電用コイル１００２のコイルの内部に対する磁束を変化させる。これにより、電力受電部１００４が電力を受け取ることを可能としているが、一般的に、電力供給部１００３から電力受電部１００４に効率よく多くの電力を受け渡しするためには、コイルの巻数を増加させるとともに、その対面面積を大きくする必要がある。
【００１２】
次に、通信速度を高速にするための手段について説明する。光通信の手段としては、特許文献１に開示されているＩＣカードシステムにおいて使用されているような、周波数（波長）とその位相が揃っていないが比較的小型のデバイスで実現でき、低速な通信となるＬＥＤ（Ｌｉｇｈｔ−Ｅｍｉｔｔｉｎｇ  Ｄｉｏｄｅ）と、周波数（波長）とその位相が揃った性質を持ち、高速な通信が可能なＬＤ（Ｌａｓｅｒ  Ｄｉｏｄｅ）の２種類に大別される。したがって、ＬＤを光通信の手段として用いれば、通信速度の高速化が図れ、高画質の動画映像を伝送する必要のあるテレビ受像機に着脱可能な拡張装置などに適応させることが可能である。しかし、光通信の手段としてＬＤを用いた場合、ＬＤは周波数と位相が揃っているという特性上、人間の目に照射されると失明の危険性があり、安全面上での課題があった。
【００１３】
このような課題を解決する一つの方法として、特許文献２には、ＬＤ発光部の発光方向が接続方向と同一で、接続する先の相手と接続することで電気的結線を成立させてＬＤ発光のための電力を受け取り、その電気的結線を成立させたときにはＬＤ発光部が隠れるように構成した「アイセーフ機構」が開示されている。
【００１４】
図１１は、特許文献２に開示されている「アイセーフ機構」の構成を示す概略図である。図１１において、「アイセーフ機構」は、ＬＤ発光部１１０３および受電部１１０５を具備する発信コネクタ１１０１と、ＬＤ受光部１１０４および給電部１１０６を具備する受信コネクタ１１０２とで構成され、発信コネクタ１１０１が受信コネクタ１１０２と接続されることにより受電部１１０５が給電部１１０６と接続され、ＬＤ発光部１１０３への給電が行なわれてＬＤが発光するが、このとき、発信コネクタ１１０１と受信コネクタ１１０２は接続されているため、ＬＤ発光部１１０３において発光したＬＤの光は外に漏れないアイセーフの構成となっている。
【特許文献１】特開平１−１５６８９０号公報
【特許文献２】特開２００６−３１０１９７号公報
【発明の開示】
【発明が解決しようとする課題】
【００１５】
しかしながら、特許文献２に開示されている「アイセーフ機構」は、接触方式の給電であり、かつ、ＬＤ発光部の発光方向が給電のための接続方向と同一方向であることを前提としているため、例えば、２ワット以上の比較的大きな消費電力を、数十ｍｍ以上という比較的大きな対面面積を持つ非接触給電デバイスを用いて給電し、ＬＤ発光方向が給電方向とは異なる構成を必要とする本願が対象としているテレビ受像機に着脱可能な拡張装置などには適応できるものではない。
【００１６】
また、比較的大きな対面面積を持つ非接触給電デバイスを用いて給電する場合は、特許文献２に開示されているような受電部と給電部が接触することで給電される場合とは異なり、給電用コイルと受電用コイルの対面部が、完全に一致しなくても磁束を共有することにより、受電部においてＬＤ発光に必要な電力を受け取ることが可能となる場合がある。従って、比較的大きな対面面積を持つ非接触給電デバイスを用いて給電することが必要と考えられる本願が対象としているテレビ受像機に着脱可能な拡張装置などにおいては、ＬＤ発光部と受電部との位置関係によっては、ＬＤの光が使用者の目に照射される危険性があるという課題が残ることになる。
【００１７】
また、ＬＤによる非接触の高速通信を用いる場合においては、ＬＤ発光部とＬＤ受光部の光軸のずれに対する許容範囲は比較的小さく、その値は１ｍｍ以下となっている。ＬＤ発光部とＬＤ受光部の間の距離が短ければ、この光軸ずれを比較的小さく保持することは可能であるが、ＬＤ発光部とＬＤ受光部の間の距離が短くなければ、拡張装置のテレビ受像機からの着脱による磨耗や経年劣化で発生する光軸のずれの影響により、高速通信に必要な所望の感度が得られなくなる可能性があるという課題があった。しかも、この問題が発生した場合、使用者にとっては、テレビ受像機に着脱可能な拡張装置に問題が発生したのか、光軸のずれでＬＤ通信が不完全となって問題が発生したのかを知ることができないという課題も含んでいた。
【００１８】
さらに、テレビ受像機に着脱可能な１つの拡張装置で複数の拡張機能（サービス）を切り替えて提供する場合、いずれの機能を使用するかをユーザが選択する必要があるが、スイッチなどで所望の機能に切り替える場合には、拡張装置をテレビ受像機に装着した後は、いずれの機能を使っているのかわかりにくいという課題があった。
【００１９】
本発明は、このような課題に鑑みてなされたものであり、第２の装置（本体装置）と、この第２の装置における機能を拡張する第１の装置（拡張装置）との間を、非接触で高速通信を可能にすることで機能の拡張を実現するとともに、安全性および信頼性が高く、使用者の使い易さにも配慮した非接触通信システムを提供することを目的とする。
【課題を解決するための手段】
【００２０】
上記目的を達成するために、本願の第１の発明の非接触通信システムは、第１の装置と、前記第１の装置が挿抜可能な挿抜孔を有する第２の装置とで構成され、前記第１の装置が前記第２の装置に挿入された場合、前記第２の装置は前記第１の装置に非接触による給電を行い、前記第１の装置と前記第２の装置の間で、データが重畳されたレーザ光を用いて非接触で通信する非接触通信システムであって、前記第１の装置は、データが重畳された前記レーザ光を発光して前記第２の装置に送信する発光手段と、前記第１の装置が有する側面のうち、前記発光手段から発光される前記レーザ光が、前記第１の装置から外部に射出可能な射出孔を有する側面と同一側面に配置され、かつ、前記第１の装置を前記第２の装置に挿入する際の挿入方向に対して前記射出孔が配置される位置よりも後ろに配置され、前記第２の装置から非接触で受電が可能なように構成された受電手段を備え、前記第２の装置は、前記第１の装置から送信されるデータが重畳された前記レーザ光を受光する受光手段と、前記第１の装置に非接触で給電が可能なように構成された給電手段を備える、ことを特徴とするものである。
【００２１】
また、本願の第２の発明の非接触通信システムは、本願の第１の発明の非接触通信システムにおいて、前記第１の装置が備える受電手段は、前記第１の装置を前記第２の装置に挿入する際の挿入方向に対し、前記第２の装置が備える給電手段と垂直方向に相対する位置に備えることを特徴とするものである。
【００２２】
また、本願の第３の発明の非接触通信システムは、本願の第１または第２の発明の非接
触通信システムにおいて、前記第１の装置が前記第２の装置へ挿入が完了した時に、前記第１の装置を前記第２の装置から引き抜くことができないように固定する固定手段と、前記固定手段において固定が完了した後に前記レーザ光を発光することを許可する発光許可手段を、さらに備えることを特徴とするものである。
【００２３】
また、本願の第４の発明の非接触通信システムは、本願の第３の発明の非接触通信シス
テムにおいて、前記発光許可手段は前記レーザ光の発光を禁止する機能をさらに備え、前記固定手段は、前記発光許可手段によって前記レーザ光の発光が禁止された後に、前記第１の装置を前記第２の装置から引き抜くことができるように固定を解除する機能を、さらに備えることを特徴とするものである。
【００２４】
また、本願の第５の発明の非接触通信システムは、第１の装置と、前記第１の装置が挿抜可能な挿抜孔を有する第２の装置とで構成され、前記第１の装置が前記第２の装置に挿入された場合、前記第２の装置は前記第１の装置に非接触による給電を行い、前記第１の装置と前記第２の装置の間で、データが重畳されたレーザ光を用いて非接触で通信する非接触通信システムであって、前記第１の装置は、データが重畳された前記レーザ光を発光して前記第２の装置に送信する発光手段と、前記第１の装置が有する側面のうち、前記発光手段から発光される前記レーザ光が、前記第１の装置から外部に射出可能な射出孔を有する側面と同一側面に配置され、前記第２の装置から非接触で受電が可能なように構成された受電手段と、前記発光手段が前記射出孔を有する側面と同一側面に配置され、データが重畳されたＬＥＤ光を発光して前記第２の装置に送信する第１のＬＥＤ（Ｌｉｇｈｔ−Ｅｍｉｔｔｉｎｇ  Ｄｉｏｄｅ）発光手段と、前記発光手段が前記射出孔を有する側面と同一側面に配置され、前記第２の装置から発光されるデータが重畳されたＬＥＤ光を受光する第１のＬＥＤ受光手段を備え、前記第２の装置は、前記第１の装置から送信されるデータが重畳された前記レーザ光を受光する受光手段と、前記第１の装置に非接触で給電可能に構成された給電手段と、データが重畳されたＬＥＤ光を発光して前記第１のＬＥＤ受光手段に送信する第２のＬＥＤ発光手段と、前記第１のＬＥＤ発光手段から送信されたデータが重畳されたＬＥＤ光を受光する第２のＬＥＤ受光手段を備え、前記第１のＬＥＤ発光手段、前記第１のＬＥＤ受光手段、前記第２のＬＥＤ発光手段および前記第２のＬＥＤ受光手段で構成されるＬＥＤ通信手段により、前記第１の装置が前記第２の装置に挿入されたことを認証し、前記ＬＥＤ通信手段により前記認証が完了した後に、前記発光手段が前記レーザ光を発光するようにしたことを特徴とするものである。
【００２５】
また、本願の第６の発明の非接触通信システムは、本願の第５の発明の非接触通信シス
テムにおいて、前記受電手段、前記第１のＬＥＤ発光手段および前記第１のＬＥＤ受光手段の内の少なくとも一つの手段は、前記第１の装置を前記第２の装置に挿入する際の挿入方向に対して前記発光手段の前記射出孔が配置される位置よりも後ろに配置されることを特徴とするものである。
【００２６】
また、本願の第７の発明の非接触通信システムは、本願の第５または第６の発明の非接
触通信システムにおいて、前記ＬＥＤ通信手段による前記認証が失敗した場合は、前記ＬＥＤ通信手段において前記認証が成功するまで前記認証の試行を繰り返し実行し、前記認証の試行回数が予め定めた試行回数に達した場合は、前記認証の試行を終了するとともに、前記認証が失敗した旨の表示を行なうことを特徴とするものである。
【００２７】
また、本願の第８の発明の非接触通信システムは、本願の第５または第６の発明の非接
触通信システムにおいて、前記第１の装置において、前記発光手段は、前記ＬＥＤ通信手段により前記認証が成功した後、接続確認要求に関するデータが重畳された前記レーザ光を前記受光手段に送信し、前記第２の装置において、前記受光手段は前記発光手段から送信された前記レーザ光を受信し、受信した前記レーザ光に前記接続確認要求を確認した場合に、前記ＬＥＤ通信手段を用いて前記接続確認要求に対する接続確認応答を前記第１の装置に送信することにより、前記第１の装置において、前記接続確認応答の受信が確認できた場合は、前記レーザ光による通信が可能になったことを認識し、前記接続確認応答の受信が確認できなかった場合は、前記レーザ光による通信が不可能な状態にある旨の表示を行うようにしたことを特徴とするものである。
【００２８】
また、本願の第９の発明の非接触通信システムは、本願の第１乃至第８の発明の非接
触通信システムにおいて、前記第１の装置は、前記第２の装置の前記挿抜孔に挿入する場合の挿入面に対応して複数の拡張機能を有し、前記挿抜孔に挿入された前記挿入面を判別し、判別した前記挿入面に基づいて、前記複数の拡張機能の中から有効とする拡張機能を選択する拡張機能切り替え手段をさらに備えたことを特徴とするものである。
【００２９】
また、本願の第１０の発明の非接触通信システムは、本願の第１乃至第９の発明の非接
触通信システムにおいて、前記第１の装置が前記第２の装置の前記挿抜孔に挿入される場合に、挿入方向と平行な前記挿抜孔の面の内の片方の面にＮ（Ｎは１以上の整数）個の凸型レール状のスライドガイドを設け、前記凸型レール状のスライドガイドが設けられた前記挿抜孔の面と相対する前記第１の装置の面に、少なくとも一つの挿入面に対応して、前記凸型レール状のスライドガイドに各々嵌め合うＮ個の凹型状のスライドガイドを設けたことを特徴とするものである。
【発明の効果】
【００３０】
本発明によれば、第２の装置（例えば、テレビ受像機などの本体装置）に対して第１の装置（例えば、テレビ受像機の機能を拡張するための拡張装置）を接続する場合、スロットイン機構を用いて非接触通電および非接触通信により接続するため、使用者が電源ケーブル、通信ケーブルおよび映像伝送ケーブルを個別に接続する必要がなくなり、使用者の使い易さが向上する。
【００３１】
また、人間の目に照射されると失明の危険性があるＬＤ発光部を持つ第１の装置から、万が一にも人間の目に照射されるような状況を発生させない機構・機能を実現することで、使用者が安心・安全に使うことが可能となる。
【００３２】
また、第２の装置に対してスロットイン機構で挿入された第１の装置が、第２の装置から電力が供給され、第２の装置との間で挿入に関する認証が完了したか否か、あるいは、ＬＤ通信により第２装置との間で通信が成立したか否か、の情報を表示する表示手段を具備することにより、使用者は問題発生時の問題箇所の特定が容易となる。
【００３３】
さらに、スロットインのガイド機構として、第２の装置側に凸型のスライドガイドを、また、第１の装置側に凹型のスライドガイドを具備させ、第１の装置を第２の装置に対して複数の方向から挿入可能とし、その挿入方向に対応して第１の装置が備えている拡張機能（サービス）を切り替えるようにしたことにより、使用者にとっては、いずれの機能を使っているかが分かりやすくなる。
【発明を実施するための最良の形態】
【００３４】
以下に、本発明を実施するための最良の形態について、図面を参照しながら説明する。
【００３５】
（実施の形態１）
図１を用いて、本発明の実施の形態１に係る非接触通信システムについて説明する。なお、図１は、本発明の実施の形態１に係る非接触通信システムの構成を示す概念図である。
【００３６】
図１において、非接触通信システムは、本体装置であり、特許請求の範囲に記載の第２の装置に相等する非接触通信処理装置１０１と、非接触通信処理装置１０１の機能を拡張するための拡張装置であり、特許請求の範囲に記載の第１の装置に相等する非接触通信処理装置１０３とで構成されている。
【００３７】
非接触通信処理装置１０１は、開口部１０２、特許請求の範囲に記載の給電手段に相等する非接触給電部（図示せず）および特許請求の範囲に記載の受光手段に相等するＬＤ受光部（図示せず）を具備し、開口部１０２は、非接触通信処理装置１０３をスロットイン機構により挿入することができるようになっている。
【００３８】
一方、非接触通信処理装置１０３は、特許請求の範囲に記載の受電手段に相等する非接触受電部１０４および特許請求の範囲に記載の発光手段に相等するＬＤ発光部１０５を具備し、非接触通信処理装置１０１の非接触給電部から非接触方式で電力の供給を受け、電力の供給を受けるとＬＤ発光部１０５おいてＬＤを発光させ、非接触通信処理装置１０１のＬＤ受光部に対して情報の高速伝送を行なう。
【００３９】
ここで、非接触受電部１０４は、図１に示すように、スロットイン機構の非接触通信処理装置１０１への挿入方向に対して、非接触通信処理装置１０３においてＬＤ発光部１０５の外部に射出可能な射出孔より手前（開口部１０２より遠い位置）に配置される。このように構成することにより、非接触給電部（図示せず）と非接触受電部１０４とのコイルの対面部分が相対し、非接触通信処理装置１０３が非接触通信処理装置１０１から受電してＬＤが発光する状態では、決してＬＤ発光部１０５の射出孔が露出しない機構、すなわち、「アイセーフ機構」を実現することができる。
【００４０】
なお、図１において、非接触通信処理装置１０１における非接触電力供給部およびＬＤ受光部は、図の見易さを考慮して図示していないが、非接触通信処理装置１０３が開口部１０２に対して挿入・装着された時に、非接触通信処理装置１０３の非接触受電部１０４およびＬＤ発光部１０５にそれぞれ相対する位置に具備するものである。
【００４１】
また、図１においては、実装の容易性から、非接触受電部１０４とＬＤ発光部１０５が同じ面に実装されている例を示したが、上述の「アイセーフ機構」を実現する条件を満たせば、異なる面に配置していても良い。
【００４２】
また、非接触通信処理装置（拡張装置）１０３がスロットイン機構により非接触通信処理装置（本体装置）１０１に挿入された場合、非接触通信処理装置（本体装置）１０１と
見栄えよく一体となるデザインを実現させることが望ましいが、そのためには、開口部１０２はできるだけ小さいことが望ましい。
【００４３】
次に、図２を用いて、ＬＤ発光部１０５の発光方向について説明する。なお、図２は、
本発明の実施の形態１に係る非接触通信システムにおけるスロットイン機構の挿入方向と平行な面における断面の一例を示す図である。
【００４４】
図２において、非接触通信処理装置１０１は非接触給電部２０１とＬＤ受光部２０２を具備しており、非接触給電部２０１とＬＤ受光部２０２は同一の基板２０３上に実装されている。このように実装することにより、非接触給電部２０１とＬＤ受光部２０２を複数の基板に別々に実装することを回避することができる。
【００４５】
非接触通信処理装置１０１が図２に示されるように構成される場合、非接触通信処理装置１０３におけるＬＤ発光部１０５の発光方向は、スロットイン機構の挿入方向に対して垂直方向に発光することとなる。なお、このような構成は、より簡単な実装を実現するための構成であり、本発明の他の特徴を制限するものではない。
【００４６】
次に、図３を用いて、ＬＥＤ通信を活用した認証機能により、安全性をさらに強化する構成について説明する。なお、図３は、本発明の実施の形態１に係る非接触通信システムにおいて、ＬＥＤ通信を活用した認証機能により安全性をさらに強化した構成を示す概念図である。
【００４７】
図３において、非接触通信処理装置（拡張装置）３０１は、非接触通信処理装置（拡張装置）１０３が備える非接触受電部１０４とＬＤ発光部１０５に加え、特許請求の範囲に記載の第１のＬＥＤ発光手段に相等するＬＥＤ発光部３０２および特許請求の範囲に記載の第１のＬＥＤ受光手段に相等するＬＥＤ受光部３０３をさらに具備する。なお、ＬＥＤ発光部３０２およびＬＥＤ受光部３０３は、スロットイン機構の挿入方向に対して、ＬＤ発光部１０５より手前（開口部１０２より遠い位置）に配置されることが好ましい。
【００４８】
一方、非接触通信処理装置（本体装置）３０４は、非接触通信処理装置（本体装置）１０１が備える開口部１０２、非接触給電部（図示せず）およびＬＤ受光部（図示せず）に加え、特許請求の範囲に記載の第２のＬＥＤ受光手段に相等するＬＥＤ受光部（図示せず）および特許請求の範囲に記載の第２のＬＥＤ発光手段に相等するＬＥＤ発光部（図示せず）をさらに具備する。非接触通信処理装置３０４が具備するこれらのＬＥＤ受光部およびＬＥＤ発光部は、非接触通信処理装置３０１が非接触通信処理装置３０４内にスロットインされたときに、非接触通信処理装置３０１のＬＥＤ発光部３０２およびＬＥＤ受光部３０３にそれぞれ相対する位置に配置されるが、図３においては見易さの観点から図示していない。
【００４９】
以上のように構成された非接触通信システムにおいて、非接触通信処理装置３０１が非接触通信処理装置３０４内にスロットインされると、非接触通信処理装置３０１は非接触通信処理装置３０４から非接触方式により受電する。非接触通信処理装置３０１が受電すると、非接触通信処理装置３０１および非接触通信処理装置３０４にそれぞれ配置された一対のＬＥＤ発光部とＬＥＤ受光部で構成されるＬＥＤ通信手段により、双方向のＬＥＤ通信を開始して非接触通信処理装置３０１が非接触通信処理装置３０４内にスロットインされたことを認証し、認証が完了した後にＬＤを発光させるように構成する。この場合、非接触通信処理装置３０１が非接触通信処理装置３０４内に確実にスロットインされたことを認証する認証機能は、非接触通信処理装置３０１または非接触通信処理装置３０４の何れに備えてもかまわない。このように、ＬＥＤ通信を活用した認証機能を導入することにより安全性、すなわち、「アイセーフ機構」をさらに強化することが可能となる。
【００５０】
なお、図３においては、実装の容易性から、ＬＥＤ発光部３０２とＬＥＤ受光部３０３は、非接触受電部１０４およびＬＤ発光部１０５と同じ面に実装されている例を示したが、上述の「アイセーフ機構」を実現する条件を満たせば、異なる面に配置していても良い。
【００５１】
また、図３に示す例においては、ＬＥＤ発光部３０２およびＬＥＤ受光部３０３が、共に、スロットイン機構の挿入方向に対してＬＤ発光部１０５より手前に配置（したがって、非接触通信処理装置３０４が具備するＬＥＤ受光部およびＬＥＤ発光部も共にＬＤ受光部よりも手前に配置）されているが、これら一対のＬＥＤ発光部とＬＥＤ受光部で構成されるＬＥＤ通信手段が奏する機能の内、少なくとも上記認証機能を実現する構成部が、スロットイン機構の挿入方向に対してＬＤ発光部１０５より手前に配置されておれば、同様の効果を発揮することは明らかである。
【００５２】
また、ここでは、ＬＥＤ通信による認証の例を示したが、スロットイン機構により作動する電気的な認証手段を用いても同様の効果が得られる。ただし、この場合は、非接触Ｉ／Ｆである利点が一部損なわれることとなる。
【００５３】
次に、図４を用いて、スロットイン機構にロック機能（ロック機構）を備えることにより安全性をさらに高める構成について説明する。なお、図４は、本発明の実施の形態１に係る非接触通信システムにおいて、スロットイン機構にロック機能を備えることにより安全性をさらに高める構成の一例を示す概念図である。
【００５４】
図４において、非接触通信処理装置（拡張装置）１０３が備えるロック穴４０１は、非接触通信処理装置（本体装置）１０１が備えるロック部材４０２が回転して契合する形状を持ち、これらのロック穴４０１およびロック部材４０２などのロック機構の構成要素は、ロック機構が働いているときは、非接触通信処理装置１０３が非接触通信処理装置１０１から抜けないように固定する固定手段としての役割を果たすことになる。この固定手段において、非接触通信処理装置１０３が非接触通信処理装置１０１から抜けないように固定が完了したことを確認した後に、非接触通信処理装置１０３のＬＤ発光部１０５におけるＬＤの発光を許可する発光許可手段（図示せず）を備えるように構成する。
【００５５】
なお、ロック機構（固定手段）は、図４に示したものに限定するものではなく、例えば、非接触通信処理装置１０３側に可動部（ロック部材）を具備する構成でもよいし、可動部が回転することにより契合するものではなく、突起部が出入りするような構成であっても構わない。
【００５６】
また、図４においては、ＬＥＤ通信を活用した認証機能により安全性を強化する構成については図示していないが、図３に示すＬＥＤ通信を活用した認証機能により安全性を強化する構成においても、スロットイン機構にロック機能を備えるように構成することは可能である。この場合、ＬＥＤ通信による認証後にロック機能を作動させてスロットイン機構において抜けを禁止し、予め用意された手段による使用者の指示によりロック機能を解除させ、非接触通信処理装置１０１から非接触通信処理装置１０３を引き抜くことを許可することが望ましい。
【００５７】
以上のように、非接触通信システムにおけるスロットイン機構にロック機能（ロック機構）を備えることにより、ＬＤが発光した後に、何らかの原因で非接触通信処理装置１０１から非接触通信処理装置１０３が引き抜かれた場合に発生すると予測される「アイセーフ機構」の崩壊を防止することができるので、安全性、すなわち、「アイセーフ機構」をさらに強化することができる。
【００５８】
次に、図５を用いて、非接触通信処理装置（本体装置）１０１に対してスロットイン機構で挿入される非接触通信処理装置（拡張装置）５０１が、挿入面を回転させて複数の挿入面から挿入することにより拡張機能を切り替えることを可能とする構成について説明する。なお、図５は、本発明の実施の形態１に係る非接触通信システムにおいて、非接触通信処理装置（本体装置）に対してスロットイン機構で挿入される非接触通信処理装置（拡張装置）が、挿入面を回転させて複数の挿入面から挿入することにより拡張機能を切り替えることを可能とする構成の一例を示す概念図である。図５においては、非接触通信処理装置（拡張装置）５０１が非接触通信処理装置（本体装置）１０１に対して、２つの異なる挿入面により挿入できる場合の例を示している。
【００５９】
図５において、非接触通信処理装置（拡張装置）５０１の非接触受電部１０４は、非接触通信処理装置（本体装置）１０１に対して非接触通信処理装置（拡張装置）５０１の挿入面を回転させて挿入させる場合の回転軸の中心に配置されており、そのため、挿入面を回転させて挿入することにより拡張機能（サービス）を切り替えた場合でも同じ場所に位置する。また、非接触通信処理装置（拡張装置）５０１は、ＬＤ発光部１０５の他に、ＬＤ発光部１０５とは異なるＬＤ発光部５０２を具備しており、これら２つのＬＤ発光部１０５および５０２は、拡張機能を切り替えるために挿入面を回転させて挿入した場合に、どちらか一方のＬＤ発光部が非接触通信処理装置（本体装置）１０１のＬＤ受光部（図示せず）と相対するように配置されている。
【００６０】
この際、挿入後の非接触通信処理装置（拡張装置）５０１の露出部分に、対象となる拡張機能を識別する情報を記載しておくことで、使用者が容易に使用する、あるいは有効となる拡張機能を判別することが可能となる。なお、非接触通信処理装置（拡張装置）５０１の露出部分に対象となる拡張機能を識別する情報を記載する代わりに、表示デバイスを具備して表示するようにしてもよいし、両者を併用するようにしてもよい。
【００６１】
２つのＬＤ発光部１０５およびＬＤ発光部５０２の内、どちらのＬＤ発光部を利用（使用）するかは、挿入された方向（挿入面）を判別し、判別した挿入面に基づいて有効とする拡張機能を選択する手段、いわゆる拡張機能を切り替えるための手段である拡張機能切り替え手段により特定する。
【００６２】
拡張機能切り替え手段を構成する挿入された方向（挿入面）を認識する手段は、例えば、電気的な手段を別途備える必要があるが、この挿入面を認識する手段も非接触方式で実現することが望ましい。この非接触方式の認識手段の一つとして、前述のＬＥＤ通信手段を活用した認証機能を用いることができるが、この場合、非接触通信処理装置（本体装置）１０１および非接触通信処理装置（拡張装置）５０１において、それぞれ２対のＬＥＤ発光部とＬＥＤ受光部を具備する必要があり、非接触通信処理装置（拡張装置）５０１における２対のＬＥＤ発光部とＬＥＤ受光部は、それぞれ、回転軸を中心としてＬＤ発光部１０５または５０２と反対側に配置される。また、非接触通信処理装置（拡張装置）５０１における２対のＬＥＤ発光部とＬＥＤ受光部の位置は、それぞれの挿入面における動作時において、非接触通信処理装置（本体装置）１０１における２対のＬＥＤ受光部とＬＥＤ発光部に、それぞれペアーとなって相対するように配置される。
【００６３】
以上のように構成されたＬＥＤ通信手段を活用した認識機能は、非接触通信処理装置（拡張装置）５０１における１対のＬＥＤ発光部とＬＥＤ受光部、および、これらとペアーになっている非接触通信処理装置（本体装置）１０１における１対のＬＥＤ受光部とＬＥＤ発光部において、それぞれペアー毎にＬＥＤによる双方向通信を行い、双方向通信が成功したペアーが何れであるかを判断することにより、拡張機能（サービス）を切り替えることが可能となる。また、使用するＬＤ発光部の特定も可能となる。
【００６４】
なお、図５においては、非接触通信処理装置（拡張装置）５０１を２つの異なる挿入面から挿入することができ、２つの異なる拡張機能を切り替えることが可能な場合の例を示したが、このような構成を拡張することにより、４つの異なる挿入面から挿入することができ、４つの異なる拡張機能を切り替えることが可能なように構成できることは明らかである。
【００６５】
次に、図６を用いて、非接触通信処理装置（本体装置）１０１に対して、挿入面を回転させて複数の挿入面から非接触通信処理装置（拡張装置）５０１を挿入することにより拡張機能を切り替える場合に、複数の挿入面から安定して挿入可能にする機構の構成について説明する。なお、図６は、本発明の実施の形態１に係る非接触通信システムにおいて、挿入面を回転させて複数の挿入面から安定して挿入可能にする機構の構成を示す概略図である。具体的には、図６は、非接触通信処理装置（本体装置）１０１の開口部１０２に対して、非接触通信処理装置（拡張装置）５０１の位置を固定し易いように、スライドガイドを具備する構成の一例を示したものである。
【００６６】
図６において、非接触通信処理装置５０１は、非接触通信処理装置１０１の開口部１０２の底面と対面する面（下面）を上にした状態で示されており、非接触通信処理装置１０１の開口部１０２の底面と対面する非接触通信処理装置５０１の下面には、スライドガイドである凹型の溝が形成されている。一方、非接触通信処理装置１０１の開口部１０２の底面における相対するスライドガイドは凸型の形状を持ち、これら凹型の形状と凸型の形状を嵌め合うことで位置の固定を実現する。
【００６７】
以上のように構成することにより、図６に示す例においては、非接触通信処理装置（拡張装置）５０１は、非接触通信処理装置（本体装置）１０１に対して４つの異なる挿入面から容易に挿入することができ、固定させることができる。
【００６８】
なお、非接触通信処理装置１０１の開口部１０２の底面のスライドガイドを凹型にして非接触通信処理装置５０１のスライドガイドを凸型にすると、途中で挿入ができなくなるので、非接触通信処理装置１０１の開口部１０２の底面のスライドガイドを凸型に、非接触通信処理装置５０１のスライドガイドを凹型にする必要がある。
【００６９】
また、図６においては、非接触通信処理装置１０１の開口部１０２の底面と対面する非接触通信処理装置５０１の下面にスライドガイドである凹型の溝が形成され、一方、非接触通信処理装置１０１の開口部１０２の底面（下面）に凸型のスライドガイドを形成する例を示したが、非接触通信処理装置５０１の上面にスライドガイドである凹型の溝が形成され、一方、非接触通信処理装置１０１の開口部１０２の天井面（上面）に凸型のスライドガイドを形成するように構成してもかまわない。
【００７０】
また、図６においては、固定し易くするために、各挿入面に対して２本のスライドガイドとなるように構成する例を示したが、各挿入面に対するスライドガイドは１本でもよいし、３本以上でも構わない。
【００７１】
また、このスライドガイドを、非接触通信処理装置５０１の側面、すなわち挿入面に具備する構成も考えられるが、この場は、露出面が凸凹となり見栄えが悪くなるばかりでなく、挿入面に表記された拡張機能を識別する情報が読み取りにくくなるため、好ましくない。
【００７２】
以上のように構成することにより、本発明の非接触通信システムは、スロットイン機構を用いて非接触通信処理装置（拡張装置）を非接触通信処理装置（本体装置）の開口部の所定位置に設置することで、拡張装置の電源、通信および映像伝送の３つのＩ／Ｆを、本体装置との間ですべて非接触にて接続させることが可能となり、使用者は、ケーブルを接続する必要がなく、拡張装置を本体装置のスロットに挿入するだけで、拡張装置を使用可能な状態にすることができる。
【００７３】
また、本発明の非接触通信システムは、電源、通信および映像伝送の３つのＩ／Ｆをすべて非接触Ｉ／Ｆにより構成しているので、拡張装置の着脱による磨耗や経年劣化によるＩ／Ｆの不具合発生を回避することができる。
【００７４】
また、本発明の非接触通信システムは、本体装置がテレビ受像機であり、拡張装置がテレビ受像機の機能を拡張するための拡張装置である場合、拡張装置は、通信処理や複雑な演算を行なうために２Ｗ以上の比較的高い消費電力を必要とするので、非接触給電のデバイスは数十ｍｍ程度の大きい対面面積が必要となるが、開口部をできるだけ小さくするためには、この非接触給電デバイスを、挿入方向に対して平行な面に広がる方向、すなわち、挿入方向に対して垂直方向に給電デバイスと受電デバイスが相対する位置に配置することが望ましい。このとき、拡張装置において、非接触受電部をＬＤ発光部よりも挿入方向に対して手前に配置することで、ＬＤ発光に対する「アイセーフ機構」を実現することができる。
【００７５】
また、本発明の非接触通信システムは、ＬＥＤによる双方向通信を用いた挿入に関する認証が完了した後に、ＬＤ発光を許可する機能をさらに備えることにより、拡張装置が本体装置に挿入していない状態において、何らかの原因で拡張装置の非接触給電部に電力が供給される危険性さえも払拭することができる。
【００７６】
また、本発明の非接触通信システムは、ＬＥＤによる双方向通信を用いた挿入認証完了後、本体装置から拡張装置を抜けないように機構的にロックするロック機能と、使用者のロック解除の指示に対応してＬＤの発光を禁止した後ロック機能を解除する機能をさらに
備えることにより、使用者が拡張装置を本体装置から取り出した際に、電力の残存などにより誤ってＬＤが発光する危険性を取り除くことができる。
【００７７】
また、本発明の非接触通信システムは、拡張装置と本体装置との間でＬＥＤ通信を活用した挿入認証、あるいはＬＤのレーザ光によるＬＤ通信が成功したか否かの情報を表示する表示手段（表示機能）を備えたことにより、使用者は問題発生時の問題箇所の特定が容易となる。
【００７８】
また、本発明の非接触通信システムは、スロットインのガイド機構として、本体装置の開口部には凸型のスライドガイドを、また、拡張装置には複数の挿入方向毎に凹型のスライドガイドを具備させ、拡張装置を本体装置に対して複数の方向から挿入可能とし、その挿入方向に対応して拡張装置が備えている拡張機能（サービス）を切り替えるとともに、
切り替えにより選択した拡張機能（サービス）が識別できる情報を表示するようにしたことにより、使用者にいずれの機能を使っているかを分かりやすくすることができる。
【００７９】
次に、図７および図８を用いて、非接触通信処理装置（拡張装置）１０３、３０１または５０１におけるＬＤ発光の手順について説明する。なお、図７は、本発明の実施の形態１に係る非接触通信システムにおいて、非接触通信処理装置（拡張装置）におけるＬＤ発光の手順の概略を示したフローチャートであり、図８は、本発明の実施の形態１に係る非接触通信システムにおいて、非接触通信処理装置（拡張装置）におけるＬＤ発光の手順の詳細を示したフローチャートである。
【００８０】
図７において、非接触通信処理装置（拡張装置）３０１が非接触通信処理装置（本体装置）３０４に装着されると（Ｓ７０１）、装着がなされたことの認証（挿入認証）が完了したか否かを確認する（Ｓ７０２）。ステップＳ７０２において認証完了が確認された場合（ステップＳ７０２においてＹｅｓの場合）、ＬＤ発光の許可を与える（Ｓ７０３）。一方、ステップＳ７０２において認証完了が確認されなかった場合（ステップＳ７０２においてＮｏの場合）、ステップＳ７０２に戻り、再度認証が完了したか否かの確認を行なう。
【００８１】
以下に、図８を用いて、非接触通信処理装置（拡張装置）におけるＬＤ発光の手順についてさらに詳しく説明する。なお、ここでは、非接触通信処理装置（拡張装置）は３０１と非接触通信処理装置（本体装置）は３０４を例に挙げて説明するが、非接触通信処理装置（拡張装置）が１０３または５０１、非接触通信処理装置（本体装置）が１０１であっても同様である。
【００８２】
図８において、非接触通信処理装置（拡張装置）３０１が非接触通信処理装置（本体装置）３０４に装着されると（Ｓ８０１）、装着がなされたことの認証（挿入認証）が完了したか否かを確認する試行回数を０に初期化し（Ｓ８０２）、その後、ＬＥＤ通信手段を活用して、装着がなされたか否かの認証を実行することを要求（認証要求）する（Ｓ８０３）。
【００８３】
次に、ＬＥＤ通信手段を活用して、この認証要求に対応する認証完了応答の受信があったか否かの確認を行なう（Ｓ８０４）。ステップＳ８０４において認証完了応答の受信があったことを確認した場合（ステップＳ８０４においてＹｅｓの場合）、ＬＥＤ通信手段を活用してＬＤ発光が許可されるが、ＬＤ発光を許可されたＬＤ発光部１０５は、接続確認要求に関するデータを重畳したレーザ光を非接触通信処理装置（本体装置）３０４のＬＤ受光部（図示せず）に送信し、接続確認要求を行う（Ｓ８０５）。非接触通信処理装置（本体装置）３０４のＬＤ受光部（図示せず）は、ＬＤ発光部１０５から送信されたレーザ光を受信し、受信したレーザ光に接続確認要求を確認した場合は、非接触通信処理装置（拡張装置）３０１に対し、ＬＥＤ通信手段を活用して接続確認要求に対応する接続確認応答を送信するが、この接続確認要求に対応する接続確認応答が、非接触通信処理装置（拡張装置）３０１において受信されたか否かを確認する（Ｓ８０９）。
【００８４】
ステップＳ８０９において接続確認応答の受信が確認された場合（ステップＳ８０９においてＹｅｓの場合）、ＬＤ通信が可能な状態（接続完了状態）となる（Ｓ８１０）。ステップＳ８０９において接続確認応答の受信が確認されなかった場合（ステップＳ８０９においてＮｏの場合）、ＬＤ通信が失敗した旨の警告表示を、例えば、非接触通信処理装置（拡張装置）３０１をスロットインさせたときの露出部（露出面）に設けられた表示部や、非接触通信処理装置（本体装置）３０４が備えている表示デバイス（表示手段）などに表示する（Ｓ８１１）。
【００８５】
一方、ステップＳ８０４において認証完了応答の受信が確認されなかった場合（ステップＳ８０４においてＮｏの場合）、認証完了応答の受信確認の試行回数が予め決められた所定回数に達しているか否かを確認する（Ｓ８０６）。
【００８６】
ステップＳ８０６において、認証完了応答の受信確認の試行回数が予め決められた所定回数に達していると確認された場合（ステップＳ８０６においてＹｅｓの場合）は、認証が失敗した旨の警告表示を、例えば、非接触通信処理装置（拡張装置）をスロットインさせたときの露出部（露出面）に設けられた表示部や、非接触通信処理装置（本体装置）３０４が備えている表示デバイス（表示手段）などに表示する（Ｓ８０８）。
【００８７】
一方、ステップＳ８０６において、認証完了応答の受信確認の試行回数が予め決められた所定回数に達していないことが確認された場合（ステップＳ８０６においてＮｏの場合）は、試行回数の値を１増加させ、ステップＳ８０４に戻ってＬＥＤ通信による認証完了応答の受信があったか否かの確認を行なう。この場合、ステップ８０３まで戻ってＬＥＤ通信による認証要求を再度行なってもよい。
【００８８】
なお、非接触通信処理装置（拡張装置）１０３、５０１または３０１に相対する非接触通信処理装置（本体装置）１０１または３０４においては、当然のことながら、図８に示す各ステップにおける要求の受信に対する処理を行ない、正常な処理が行なわれた場合は、その旨を伝えるための応答の送信が行なわれる。
【００８９】
また、ステップＳ８０３におけるＬＥＤ通信による認証要求を行なわず、ステップＳ８０２における試行回数の初期化からステップＳ８０４に移行し、ＬＥＤ通信による認証完了応答の受信確認を行なうようにしても良い。この場合、非接触通信処理装置（本体装置）１０１または３０４は、非接触通信処理装置（拡張装置）１０３、３０１または５０１からのＬＥＤ通信による認証要求の受信を待たずに、認証が完了した時点で認証完了応答（この場合、「応答」という表現は必ずしもふさわしくないが）を送信すればよい。
【産業上の利用可能性】
【００９０】
本発明に係る非接触通信システムは、例えば、本体装置であるテレビ受像機に対して、拡張機能を追加する装置（拡張装置）を接続する場合において、使用者の安全性と使い易さの向上を実現する装置およびシステムとして有用である。同様に、本体装置に対して機能を拡張するために用意された別の装置を接続して使用するような装置およびシステムにおいても有用である。
【図面の簡単な説明】
【００９１】
【図１】本発明の実施の形態１に係る非接触通信システムの構成を示す概念図
【図２】本発明の実施の形態１に係る非接触通信システムにおけるスロットイン機構の挿入方向と平行な面における断面の一例を示す図
【図３】本発明の実施の形態１に係る非接触通信システムにおいて、ＬＥＤ通信を活用した認証機能により安全性をさらに強化した構成を示す概念図
【図４】本発明の実施の形態１に係る非接触通信システムにおいて、スロットイン機構にロック機能を備えることにより安全性をさらに高める構成の一例を示す概念図
【図５】本発明の実施の形態１に係る非接触通信システムにおいて、非接触通信処理装置（本体装置）に対してスロットイン機構で挿入される非接触通信処理装置（拡張装置）が、挿入面を回転させて複数の挿入面から挿入することにより拡張機能を切り替えることを可能とする構成の一例を示す概念図
【図６】本発明の実施の形態１に係る非接触通信システムにおいて、挿入面を回転させて複数の挿入面から安定して挿入可能にする機構の構成を示す概略図
【図７】本発明の実施の形態１に係る非接触通信システムにおいて、非接触通信処理装置（拡張装置）におけるＬＤ発光の手順の概略を示したフローチャート
【図８】本発明の実施の形態１に係る非接触通信システムにおいて、非接触通信処理装置（拡張装置）におけるＬＤ発光の手順の詳細を示したフローチャート
【図９】特許文献１に開示されているＩＣカードシステムの構成を示す斜視図
【図１０】対面するコイルの磁束を共有することで実現する非接触給電・受電機能の構造を示した概念図
【図１１】特許文献２に開示されている「アイセーフ機構」の構成を示す概略図
【符号の説明】
【００９２】
１０１  非接触通信処理装置（本体装置）
１０２  開口部
１０３  非接触通信処理装置（拡張装置）
１０４  非接触受電部
１０５  ＬＤ発光部
２０１  非接触給電部
２０２  ＬＤ受光部
２０３  基板
３０１  非接触通信処理装置（拡張装置）
３０２  ＬＥＤ発光部
３０３  ＬＥＤ受光部
３０４  非接触通信処理装置（本体装置）
４０１  ロック穴
４０２  ロック部材
５０１  非接触通信処理装置（拡張装置）
５０２  ＬＤ発光部
９０１  ＩＣカード非接触読取／書込装置
９０２  開口部
９０３  ＩＣカード
９０４  非接触受電部
９０５  光通信デバイス
９０６  光通信デバイス
１００１  給電用コイル
１００２  受電用コイル
１００３  電力供給部
１００４  電力受電部
１１０１  発信コネクタ
１１０２  受信コネクタ
１１０３  ＬＤ発光部
１１０４  ＬＤ受光部
１１０５  受電部
１１０６  給電部
【図２】
2010050788.tif 000003
【図７】
2010050788.tif 000004
【図８】
2010050788.tif 000005
【図１０】
2010050788.tif 000006
【図１１】
2010050788.tif 000007
【図１】
2010050788.tif 000008
【図３】
2010050788.tif 000009
【図４】
2010050788.tif 000010
【図５】
2010050788.tif 000011
【図６】
2010050788.tif 000012
【図９】
2010050788.tif 000013